(57)【要約】      （修正有）【課題】マイクロプリズムの回折格子の密度分布により出光の均一性を調整し、光源の輝点を消去する超薄型導光装置を提供する。【解決手段】超薄型導光装置５０は、マイクロプリズム５４を導光モジュール中に整合し、マイクロプリズム５４中の回折格子５６により入射光をろ過し、これにより、一部の有効な入射光だけがこの回折格子５６を通過し、残りの入射光は反射して、底導光層５２と底反射板６０に戻り、反射した光が再度、このマイクロプリズム５４に進入し、よって、導光モジュール全体が１０ミリ以下の厚さでも、マイクロプリズムは点、或いは、線の光源を転換し、均一な分布で、高効率の面光源を形成する。【選択図】図３
0003148378.tif 000002
【実用新案登録請求の範囲】
【請求項１】
超薄型導光装置であって、
入射光を提供する光源と、
前記光源下に設置される底反射板と、
前記入射光を受ける底導光層と、
回折格子を有し、前記底導光層上表面に設置され、前記入射光の一部が通過し、且つ、残りの前記入射光が前記回折格子により前記底導光層に反射し前記底反射板から戻る、マイクロプリズムと、
からなることを特徴とする超薄型導光装置。
【請求項２】
前記マイクロプリズムは、更に、透過面と反射面を有することを特徴とする請求項１に記載の超薄型導光装置。
【請求項３】
前記透過面と前記反射面の挟角は４５度以上であることを特徴とする請求項２に記載の超薄型導光装置。
【請求項４】
更に、前記底導光層上に位置し、前記マイクロプリズムを被覆する上導光層を有することを特徴とする請求項１に記載の超薄型導光装置。
【請求項５】
更に、前記上導光層上表面を被覆する拡散層を有することを特徴とする請求項４に記載の超薄型導光装置。
【請求項６】
前記光源は冷陰極蛍光ランプ、或いは、発光ダイオードであることを特徴とする請求項１に記載の超薄型導光装置。
【請求項７】
前記底導光層はポリカーボネート（PC）、ポリエチレンテレフタレート（PET）、或いは、紫外線硬化ゲル（UVゲル）であることを特徴とする請求項１に記載の超薄型導光装置。
【請求項８】
前記マイクロプリズムは、UVゲル、及び、金属材質であることを特徴とする請求項１に記載の超薄型導光装置。
【請求項９】
前記上導光層はUVゲルであることを特徴とする請求項５に記載の超薄型導光装置。
【考案の詳細な説明】
【技術分野】
【０００１】
本考案は、導光モジュールに関するものであって、特に、液晶ディスプレイのバックライトモジュール、及び、薄型照明装置中に応用し、均一な光を達成する超薄型導光装置に関する。
【背景技術】
【０００２】
現在、液晶ディスプレイの需要量が大幅に増加し、更に、消費者の液晶ディスプレイに対する大尺寸、低価格の要求に伴い、バックライトモジュールがその要求の鍵を握る重要な素子になっている。バックライトモジュールは、液晶ディスプレイ内に設置され、その功能は、前方の液晶パネルに安定した光源を提供することで、よって、バックライトモジュールの軽量化、薄型化、均一度、及び、高輝度などが重要な要素となっている。
【０００３】
公知技術において、バックライトモジュールは光源の位置によって、直下型とサイドライト型に分類される。図１と図２を参照すると、図１で示されるように、直下型バックライトモジュール１０の冷陰極管、或いは、発光ダイオード１２はモジュール下方に位置し、その下方は、通常、反射板１４を設置する。光線は、直接、或いは、反射により拡散板１６に進入し、続いて、プリズム１８に達し、最後に、液晶パネル（図示しない）に出光する。図２で示されるように、サイドライト型バックライトモジュール２０は、冷陰極蛍光ランプ２２がバックライトモジュールの側辺に設置され、反射片２４がバックライトの周囲を被覆し、出口だけを残して、光線が導光板２６に進入し、且つ、同様に、導光板下方に反射板２８を設置する。導光板２６の主な功能は光線方向の引導で、側入した光線を液晶パネルに出光させるので、導光板底部は、ドットやマイクロ構造を有して、出射光の分布密度を制御する。続いて、光線が導光板から拡散（片）板３０とプリズム（片）３２に進入し、最後に、上方の液晶パネル（図示しない）に到達する。
【０００４】
直下型バックライトモジュールは、一般に、中〜大尺寸の液晶ディスプレイパネル中に応用され、密度が高いバックライト源を設置して、高い輝度を提供するためであるが、拡散板は乳白色のポリマーであり、光源が発する光線を部分的に吸収し、且つ、拡散板の応用は、一定の拡散空間がないと光源の輝点を消去することができないので、よって、直下型バックライトモジュールの占有体積は、サイドライト型バックライトモジュールより大きい。サイドライト型バックライトモジュールは多くが、小型尺寸のパネルに応用され、サイドライト型光源の設計は軽量、薄型、狭いフレーム、低電力消耗という長所があるが、冷陰極蛍光ランプをサイドライト型バックライトとするので、この種のバックライトモジュールはバックライト光源の密度を増加させるのに限りがあり、よって、発光輝度が低く、大型尺寸のディスプレイの製造には適さない。
【０００５】
しかし、バックライトモジュールの趨勢は、高輝度、均一化、軽量、薄型である以外に、モジュール一体化が次世代の液晶ディスプレイの研究発展の方向であるので、上述の多くの長所をバックライトモジュールに整合することが、液晶産業界の一致した目標である。
【考案の開示】
【考案が解決しようとする課題】
【０００６】
本考案の目的は、超薄型導光装置を提供し、マイクロプリズムの回折格子の密度分布により出光の均一性を調整し、光源の輝点を消去することにある。
【０００７】
本考案のもう一つの目的は、超薄型導光装置を提供し、マイクロプリズムと導光層を直接整合して、バックライトモジュールの厚さを減少させることにある。
【０００８】
本考案の最後の目的は、超薄型導光装置を提供し、各種異なる設計の光源に適用し、幅広い応用範囲を達成することである。
【課題を解決するための手段】
【０００９】
本考案の超薄型導光装置は、底導光層からなり、上にマイクロプリズムを有し、回折格子をマイクロプリズム中に嵌入し、最後に、一層の上導光層と一層の拡散層をマイクロプリズム上に被覆する。これにより、入射光が底導光層を穿過して、マイクロプリズムに到達する時、一部の入射光は、反射角度の変化により回折格子を通過し、もう一部分の入射光は回折格子により直接反射され、底反射板によりマイクロプリズムに戻る。上述の工程を、光がマイクロプリズムを通過し、上導光層と拡散層を経て出光するまで重複する。よって、この種の導光装置の設計は、モジュール厚さを減少させ、液晶ディスプレイ、或いは、発光ダイオード照明装置に必要な高輝度の均一光を提供することができる。
【考案の効果】
【００１０】
本考案の超薄型導光装置は、公知技術の導光、拡散、反射等の物性長所をこの導光装置に整合し、導光装置が薄く、空間を占有せず、また、優れた均光性を有し、且つ、出光が更に効果的になる。
【考案を実施するための最良の形態】
【００１１】
図３は、本考案の第一実施例を示す図で、超薄型導光装置５０は、底導光層５２、底反射板６０、マイクロプリズム５４、及び、少なくとも一つの光源５８、からなる。底導光層５２は光源５８上方に設置され、光源下方に底反射板６０を設置する。マイクロプリズム５４は底導光層５２上表面に設置され、回折格子５６がマイクロプリズム５４中に嵌入される。また、マイクロプリズムは透過面と反射面を有し、透過面と反射面の挟角は４５度以上である。
【００１２】
よって、光源５８から発する入射光は底導光層５２を経て、マイクロプリズム５４に到達する時、入射光の一部は反射角度の変化により、マイクロプリズム５４を穿過し、出光後、均一な分布を形成する。残りの入射光は底導光層５２に戻り、底反射板６０により再度反射され、光線がマイクロプリズム５４に反射する。最後に、光線はマイクロプリズム５４を通過後、無輝点で、均一な分布のバックライト源になる。
【００１３】
更に、図４で示されるように、第二実施例中、上導光層６２を底導光層上に設置して、マイクロプリズム５４を被覆し、拡散層６４を更に、上導光層上表面に被覆する。第二実施例は、導光モジュールの出射光の均一度を更に増加することができる。
【００１４】
図５と図６は、それぞれ、本考案の超薄型導光装置の均一度の模擬結果と無マイクロプリズムの導光装置の均一度の模擬結果を示し、本考案の超薄型導光装置の均一度が明らかな改善が見られることが分かる。
【００１５】
また、本考案の底導光層５２の材質はポリカーボネート（PC）、ポリエチレンテレフタレート（PET）、或いは、紫外線硬化ゲル（UVゲル）である。マイクロプリズム５４は、UVゲル、及び、金属材質である。上導光層６０はUVゲルである。
【００１６】
総合すると、本考案は、超薄型導光装置を液晶ディスプレイ中のバックライトモジュール、及び、発光ダイオードの照明装置に応用し、且つ、マイクロプリズムを導光層に嵌入する方式で、モジュールを一体化し、コストを減少させるだけでなく、バックライトモジュールの厚さも減少し、輝度と均一度も一般の導光モジュールより優れ、多くの光学製品中に応用することができる。
【図面の簡単な説明】
【００１７】
【図１】公知の直下型バックライトモジュールを示す図である。
【図２】公知のサイドライト型バックライトモジュールを示す図である。
【図３】本考案の第一実施例を示す図である。
【図４】本考案の第二実施例を示す図である。
【図５】本考案の均一度の模擬結果を示す図である。
【図６】無マイクロプリズムの導光装置の均一度の模擬結果を示す図である。
【符号の説明】
【００１８】
１０    直下型バックライトモジュール
１２    発光ダイオード
１４    反射板
１６    拡散板
１８    プリズム
２０    サイドライト型バックライトモジュール
２２    冷陰極蛍光ランプ
２４    反射片
２６    導光板
２８    反射板
３０    拡散板
３２    プリズム
５０    超薄型導光裝置
５２    底導光層
５４    マイクロプリズム
５６    回折格子
５４１  透過面
５４２  反射面
５８    光源
６０    底反射板
６２    上導光層
６４    拡散層
【図１】
0003148378.tif 000003
【図２】
0003148378.tif 000004
【図３】
0003148378.tif 000005
【図４】
0003148378.tif 000006
【図６】
0003148378.tif 000007
【図５】
0003148378.tif 000008